(57)【要約】【課題】簡易、かつ、コンパクトで消臭効率が高く、後付の場合でも容易かつ安価に設置することができ、また、処理規模に応じた消臭装置を容易に構成することができる消臭筒、消臭装置及び消臭方法を提供する。【解決手段】消臭筒10は、臭気発生源を有する収容室60内の臭気を消臭して外部に散気させる消臭筒10であって、収容室60の屋根65、天井又は壁面に取り付けられ、その収容室60と外部を連通させる排出筒11と、排出筒11の下流側端部に収容され、下流方向に水又は薬液を噴霧するノズル25を配設したノズルリング20と、そのノズルリング20の上流側に設けられ下流方向に向けて送気するファン30と、を有する。この消臭筒10を用いて、コンパクトで効率的な消臭装置を構成することができ、効率的な消臭方法を実施することができる。【選択図】図２
2010088998.tif 000002
【特許請求の範囲】
【請求項１】
臭気発生源を有する収容室内の臭気を消臭して外部に散気させる消臭筒であって、
前記収容室の屋根、天井又は壁面に取り付けられ、その収容室と外部を連通させる排出筒と、
前記排出筒の下流側端部に収容され、下流方向に水又は薬液を噴霧するノズルを配設したノズルリングと、そのノズルリングの上流側に設けられ下流方向に向けて送気するファンと、を有する消臭筒。
【請求項２】
臭気発生源を有する収容室内の臭気を消臭して外部に散気させる消臭筒であって、
前記収容室の屋根、天井又は壁面に取り付けられ、その収容室と外部を連通させる排出筒と、
前記排出筒の上流側に収容され、下流方向に水又は薬液を噴霧するノズルを配設したノズルリングと、
前記排出筒の下流側に収容され、下流方向に向けて送気するファンと、を有する消臭筒。
【請求項３】
前記排出筒は、その下流側開口部に軸方向下流側に向かう気流を半径方向に変える傘を有することを特徴とする請求項１又は２に記載の消臭筒。
【請求項４】
前記ノズルリング及びファンは、前記排出筒に対して脱着可能であることを特徴とする請求項１〜３のいずれかに記載の消臭筒。
【請求項５】
請求項１〜４のいずれかに記載の消臭筒と、その消臭筒のノズルリングに水又は薬液を供給する液供給手段と、前記ノズルリングに供給される水又は薬液の供給タイミングと供給量を制御する制御手段と、を有する消臭装置。
【請求項６】
排出筒内に設けられたファンにより臭気混合気を排出筒内に導き、排出筒内にあって前記ファンにより生ずる乱流域内に設けられたノズルにより水又は薬液を前記臭気混合気とともに排出筒内から下流方向大気中に噴出させる消臭方法。
【請求項７】
ファンは、その羽根の外径が排出筒の内径の60%〜90%になっているものであることを特徴とする請求項６に記載の消臭方法
【請求項８】
ノズルは、ファン中心からファンの羽根の外径の60%〜80%の位置に設けられていることを特徴とする請求項６又は７に記載の消臭方法。
【請求項９】
ファンとノズルとの取付位置間隔は、100〜500mmになっていることを特徴とする請求項６〜８のいずれかに記載の消臭方法。
【請求項１０】
ノズルは、排出筒内の下流側端部から50〜200mmの位置に取り付けられていることを特徴とする請求項６〜９のいずれかに記載の消臭方法。
【発明の詳細な説明】
【技術分野】
【０００１】
本発明は、畜産事業場、肥料製造工場、ゴミ処理場、し尿処理場等において発生する悪臭の消臭を水又は薬液の噴霧を利用することにより行う消臭筒、消臭装置及び消臭方法に関する。
【背景技術】
【０００２】
最近の環境衛生重視の思想に基づき、畜産事業場、肥料製造工場、ゴミ処理場、し尿処理場等の建設においては、当初より悪臭処理施設が並設されることが多い。また、悪臭の発生が余り問題のない人里離れた場所に建設された畜産事業場等が、時代の推移により畜産事業場等の周囲に次第に人家が増加し、悪臭処理施設の導入が求められている例もある。
【０００３】
そのような畜産事業場等に設けられる悪臭処理施設の一つとして、特許文献１に、吸気管を介して吸引した臭気含有空気を作用槽内で消臭液を使って消臭し排気管を介して排気する消臭装置であって、該作用槽は、消臭液を溜める液槽部と、臭気含有空気に対して消臭液を噴霧する拡散噴霧器と、内部空間を区画するよう配置された多数の貫通孔を有する邪魔板と、を備え、且つ作用槽の断面積が吸気管の断面積より広いことを特徴とする消臭装置が提案されている。
【０００４】
また、特許文献２に、家畜飼料添加材に含まれる微生物を培養した培養液を脱臭剤として利用する発明が記載され、その明細書に、排気ブロワーの排気口に沿って形成された排気路内周囲から上記脱臭剤を噴霧するスプレーノズルが列配された脱臭装置が開示されている。
【０００５】
【特許文献１】特開2004-298367号公報
【特許文献２】特開2004-160071号公報
【発明の開示】
【発明が解決しようとする課題】
【０００６】
特許文献１又は２に開示されているような湿式の消臭装置は処理量が多く、消臭効率が高いので注目される悪臭処理施設の一つであるが、特許文献１又は２に開示されているように、臭気と噴霧された水又は薬液との気液混合を行うための大きな作用槽を要する。このため、消臭装置が大型のものになり、多くの場合特別の建屋を必要とし、また、相当規模の建屋の改造が必要になるという問題があった。
【０００７】
本発明は、このような従来の問題点に鑑み、簡易かつコンパクトで消臭効率が高く、後付の場合でも容易かつ安価に設置することができ、また、処理規模に応じた消臭装置を容易に構成することができる消臭筒、消臭装置及び消臭方法を提供することを目的とする。
【課題を解決するための手段】
【０００８】
本発明に係る消臭筒は、臭気発生源を有する収容室内の臭気を消臭して外部に散気させる消臭筒であって、前記収容室の屋根、天井又は壁面に取り付けられ、その収容室と外部を連通させる排出筒と、前記排出筒の下流側端部に収容され、下流方向に水又は薬液を噴霧するノズルを配設したノズルリングと、そのノズルリングの上流側に設けられ下流方向に向けて送気するファンと、を有する。
【０００９】
また、本発明に係る消臭筒は、臭気発生源を有する収容室内の臭気を消臭して外部に散気させる消臭筒であって、前記収容室の屋根、天井又は壁面に取り付けられ、その収容室と外部を連通させる排出筒と、前記排出筒の上流側に収容され、下流方向に水又は薬液を噴霧するノズルを配設したノズルリングと、前記排出筒の下流側に収容され、下流方向に向けて送気するファンと、を有するものとすることができる。
【００１０】
上記発明において、排出筒は、その下流側開口部に軸方向下流側に向かう気流を半径方向に変える傘を有するものとすることができる。また、ノズルリング及びファンは、前記排出筒に対して脱着可能であるのがよい。
【００１１】
このような消臭筒を利用して効率的な消臭装置を構成することができる。即ち、上記に記載する消臭筒と、その消臭筒のノズルリングに水又は薬液を供給する液供給手段と、前記ノズルリングに供給される水又は薬液の供給タイミングと供給量を制御する制御手段と、により効率的な消臭装置を構成することができる。
【００１２】
本発明に係る消臭方法は、排出筒内に設けられたファンにより臭気混合気を排出筒内に導き、排出筒内にあって前記ファンにより生ずる乱流域内に設けられたノズルにより水又は薬液を前記臭気混合気とともに排出筒内から下流方向大気中に噴出させることによって実施することができる。
【００１３】
上記消臭方法の発明において、ファンは、その羽根の外径が排出筒の内径の60%〜90%になっているものを使用するのがよく、ノズルは、ファン中心からファンの羽根の外径の60%〜80%の位置に設けられているものを使用するのがよい。
【００１４】
また、ファンとノズルとの取付位置間隔は、100〜500mmになっているものを使用するのがよく、ノズルは、排出筒内の下流側端部から50〜200mmの位置に取り付けられているものを使用するのがよい。
【発明の効果】
【００１５】
本発明に係る消臭筒は、簡単な構造をしており、コンパクトで消臭効率が高く、畜産事業場等の建屋の構造に応じたものを、また、処理能力に応じたものを簡単に設置することができる。このような消臭筒を用いて、簡易に、コンパクトで消臭効率の高い消臭装置を構成することができ、また、消臭効率の高い消臭方法を実施することができる。
【発明を実施するための最良の形態】
【００１６】
以下、本発明を実施するための最良の形態について、図面を基に説明する。図１は、本発明に係る消臭筒が畜産事業場等における臭気発生源を有する収容室の屋根に取り付けられた状態を示す説明図である。図２は、本消臭筒の構成を示す説明図である。図１に示すように、本消臭筒10は、臭気発生源を有する収容室60の屋根65、あるいは、天井又は壁面等に容易に取り付けることができ、また、容易に増設又は廃棄することができる。
【００１７】
本臭気筒10は、図２に示すように、排出筒11と、ノズルリング20と、ファン30とを有している。排出筒11は、収容室60と外部とを連通させて臭気発生源からの臭気が外気に散気されるようになっている。排出筒11は、図１に示すように、円筒状あるいはエルボ状にすることができ、端部形状はそれが取り付けられる箇所に適合するようになっている。消臭筒10が屋根に取り付けられる場合、屋根の勾配はほぼ一定であるので、予め所定形状のものを準備しておくことができる。
【００１８】
ノズルリング20は、排出筒11の下流側端部に収容されており、所定箇所に一以上のノズル25が配設された連結管22と、連結管22を排出筒11の所定位置に固定するリングサポート28を有している。水又は薬液は、配管48から継手23を介して連結管22に供給されるようになっている。リングサポート28は、排出筒11に容易に取り付け又は取り外すことができるようになっており、ノズルリング20の排出筒11への取り付け又は取り外しは容易に行うことができる。
【００１９】
ノズル25は、図３に示すように、例えば、連結管22の５等分位置（同図（ａ））又は６等分位置（同図（ｂ））に配設することができる。また、各箇所におけるノズル25の本数は、１本（同図（ａ））又は３本（同図（ｂ））等にすることができる。ノズル25の連結管22における取付け間隔、あるいは各取付け位置における取付け本数は、消臭筒10の処理能力、処理効率等により適宜決定される。
【００２０】
ファン30は、図２に示すように、駆動部32と、羽根35とファンサポート38を有し、ファンサポート38により排出筒11に取り付けられるようになっている。ファン30は、ノズルリング20の上流側に設けられ、排出筒11の下流方向に送気することができるようになっている。ファンサポート38は、排出筒11に容易に取り付け又は取り外すことができるようになっており、ファン30の排出筒11への取り付け又は取り外しは容易に行うことができる。
【００２１】
臭気発生源を有する収容室60内の臭気は、ファン30により排出筒11内に吸引され、ノズル25から噴霧される水又は薬液と気液混合されて排出筒11から外部の大気中に散気される。図１に示す実施例の場合、排出筒11から大気中に散気される気流の方向は、排出筒11の軸方向と同一方向になっているが、図４に示すように、排出筒11の端部の開口部に傘15を設けることにより、排出筒11から大気中に散気される気流の方向を、排出筒11の軸方向から半径方向に変換させることができる。この傘15により、臭気と水又は薬液との気液混合が促進され消臭効率を向上させることができ、また、雨や塵埃が排出筒11内に侵入するのを防止することができる。
【００２２】
以上、消臭筒10について説明した。本消臭筒10は、簡単な構造をしており、コンパクトで、臭気発生源を有する収容室60の屋根65、天井又は壁面のいずれの箇所にも容易に取り付けることができ、所要の処理能力のものを容易に準備することができる。例えば、表１に示すような処理能力の消臭筒10を準備することができる。なお、表１において消臭筒径とは、排出筒11の内径を示す。
【００２３】
【表１】
2010088998.tif 000003
【００２４】
また、本消臭筒10は、これを構成する排出筒11、ノズルリング20、ファン30が脱着可能になっており、消臭筒10を構成する基準部品を予め準備することにより多様な形態、処理能力の消臭筒又は以下に説明する消臭装置を容易に提供することができる。
【００２５】
上記消臭筒10を用いて、図５に示す消臭装置を構成することができる。本例の消臭装置100は、消臭筒10、消臭筒10へ水又は薬液を供給するための水又は薬液タンク40、ポンプ45、電磁弁46及び配管48を有している。ノズル25から噴霧される水又は薬液は電磁弁46及び制御装置50により制御される。電磁弁46は、流量制御が可能なものを使用することができる。制御装置50は、また、ファン30の作動を制御することができるようになっている。水又は薬液タンク40には、濾過器43を設けるのがよい。
【００２６】
本消臭装置100においては、水又は薬液タンク40と濾過器43、ポンプ45、電磁弁46、配管48及び制御装置50によりノズルリング20に水又は薬液を供給する液供給手段が構成される。そして、電磁弁46及び制御装置50によりノズルリング20に供給される水又は薬液の供給タイミングと供給量を制御する制御手段が構成される。
【００２７】
本消臭装置100は、従来の消臭装置のような臭気と噴霧された水又は薬液との気液混合を行うために特別の作用槽を要せず、図１に示すようなコンパクトな消臭筒10を所望の箇所に取り付ければ足りる。これは、消臭筒10の内部及び消臭筒10の下流側端部近辺大気中で、臭気と水又は薬液の効率的な気液混合が行われるとともに、気液混合された霧滴は速やかに大気中に散気されるようになっているからである。すなわち、収容室60内に生ずる大量の悪臭を効率的に消臭するには、排出筒11内に設けられたファン30により臭気混合気を排出筒11内に導き、排出筒11内にあってファン30により生ずる乱流域内に設けられたノズル25により水又は薬液を前記臭気混合気とともに排出筒11内から下流方向大気中に噴出させる消臭方法が好ましい。
【００２８】
効率的な消臭を行うには、臭気と水又は薬液の効率的な気液混合を行うことである。効率的な気液混合を行うためには、図２に示すように、ファン30は、その羽根35の外径（df）が排出筒11の内径（dc）の60%〜90%（=100*df/dc）になっているものを使用するがよい。特に、羽根35の外径（df）が排出筒11の内径（dc）の80%前後のファンを使用するのが好ましい。ノズル25は、ファン中心からファン30の羽根35の外径（df）の60%〜80%の位置（dn=100*dn/df）に設けられているのがよい。また、ファン30とノズル25との取付位置間隔は、100〜500mmになっており、両者が近い位置にあるものを使用するのがよい。
【００２９】
また、臭気と水又は薬液が気液混合された霧滴が再凝集して消臭効率が低下しないように、気液混合気流は速やかに大気中に散気させるようにするのがよい。このため、ノズル25は、図２に示すように、排出筒11内の下流側端部から50〜200mmの位置に取り付けられているものを使用するのがよく、100mm前後に取り付けられているものが好ましい。
【００３０】
以上、本発明に係る消臭筒、消臭装置又は消臭方法について説明した。本発明は、上記に説明した実施例に限定されない。例えば、消臭筒10の形状は、円形断面を有するものに限らない。消臭筒10の形状は、六角形断面を有するものであっても、図６に示すような四角形断面を有するものであってもよい。この例の場合は、排出筒11及びノズルリング20の形状が四角形断面形状をしている。なお、排出筒11の形状が、角形断面を有するものである場合に、ノズルリング20の形状は円形断面を有するものとすることもできる。また、図６に示すように、ノズル25は、ノズルリング20の外縁部（25A）のみならず中心部（25B）に設けることができる。この中心部に設けられたノズル25（25B）により、排出筒11内の水又は薬液の噴霧分布を改善させることができる場合がある。
【００３１】
また、ノズルリング20は、図７に示すように、ファン30の上流側に設けることもできる。この場合は、背丈の短い消臭筒10を構成することができる。
【００３２】
また、本消臭装置が設置される建物等の条件によっては、図８に示すように、ノズルリング20は環状のものではなく直線状のものを使用することができ、複数個のファン30を使用することもできる。
【００３３】
以上説明したように、本発明に係る消臭装置は、消臭筒を用いることによって臭気と水又は薬液の気液混合を促進させているので効率的な消臭を行うことができる。このような本消臭装置によれば、また、以下のような効果も得ることができる。すなわち、本消臭装置によれば、臭気のみならず粉塵を捕集除去することができ、比重が小さく微細な羽毛であっても効率的に捕集除去することができる。このため、例えば、本消臭装置は鶏舎において好適に使用することができる。
【図面の簡単な説明】
【００３４】
【図１】本発明に係る消臭筒を収容室の屋根に取り付けた場合の説明図である。
【図２】本発明に係る消臭等の構成を示す説明図である。
【図３】ノズルリングの構成、形状を示す説明図である。
【図４】傘を設けた消臭筒の断面図である。
【図５】本発明に係る消臭装置の構成を示す説明図である。
【図６】四角形断面形状を有する消臭筒の平面図である。
【図７】ノズルリングをファンの上流側に設けた消臭筒の断面図である。
【図８】直線上のノズルリング、複数のファンを有する消臭筒の実施例を示す図面である。
【符号の説明】
【００３５】
10    消臭筒
11    排出筒
15    傘
20    ノズルリング
22    連結管
23    継手
25    ノズル
28    リングサポート
30    ファン
32    駆動部
35    羽根
38    ファンサポート
40    水又は薬液タンク
43    濾過器
45    ポンプ
46    電磁弁
48    配管
50    制御装置
60    収容室
65    屋根
100    消臭装置
【図１】
2010088998.tif 000004
【図２】
2010088998.tif 000005
【図３】
2010088998.tif 000006
【図４】
2010088998.tif 000007
【図５】
2010088998.tif 000008
【図６】
2010088998.tif 000009
【図７】
2010088998.tif 000010
【図８】
2010088998.tif 000011